(57)【要約】【課題】室内機の据付作業を容易に行える空気調和機の提供。【解決手段】室内機本体１０下部を覆う工事用カバー１を設け、さらに前記工事用カバー１の底面の左右２箇所及び前記工事用カバーの側面の左右それぞれ１箇所に内外接続配管８あるいは排気ダクトが貫通するための孔を設けた構成としてある。これによって、工事用カバー一部品を脱着するだけで、配管接続作業や内外接続電線の引き回し作業及び排気ダクトの引き出し、ドレンホースの左右付け替え作業等を行うことができ、これら一連の作業を容易おこなうことができる。【選択図】図２
2015010731.tif 000002
【特許請求の範囲】
【請求項１】
室内機本体内部の下部に室内機と室外機とを接続する内外接続配管用の配管収納スペースを設けるとともに、当該配管収納スペースの右方または左方の室内機本体内端部に、換気装置の排気ダクト接続部、送風機のモータ部を備えた空気調和機であって、前記室内機本体下部の配管収納スペースは、当該配管収納スペースに位置する前記内外接続配管、室内機本体側の補助配管、排気ダクト接続部、モータ部を一体に覆う着脱自在な工事用カバーで覆うとともに、前記工事用カバーの底面の左右２箇所及び前記工事用カバーの側面の左右それぞれに前記接続配管あるいは排気ダクトが貫通するためのノックダウン式孔を設けたことを特徴とする空気調和機。
【請求項２】
工事用カバーのノックダウン式孔はノックアウトによって脱除可能な蓋部を有する構成としたことを特徴とする請求項１記載の空気調和機。
【請求項３】
工事用カバーを室内機の下方向からの一動作で前記室内機本体に係合し、一体化する構成としたことを特徴とする請求項１または２記載の空気調和機。
【請求項４】
室内機本体の両側部に本体下部固定部及び引掛け爪を設けるとともに、当該本体下部固定部及び引掛け爪に係合する切欠き部を工事用カバーの両側部に設けたことを特徴とする請求項３記載の空気調和機。
【請求項５】
室内機本体の台枠に係合溝と係合穴を設け、当該台枠の係合溝と係合穴に係合する係合壁と係合爪を工事用カバーに設けたことを特徴とする請求項４記載の空気調和機。
【請求項６】
室内機本体の台枠の本体下部固定部に突起受け部を設け、当該突起受け部に係合する係合突起を工事用カバーに設けたことを特徴とする請求項５記載の空気調和機。
【発明の詳細な説明】
【技術分野】
【０００１】
本発明は、空気調和機、特に据付工事の効率化を図った空気調和機に関するものである。
【背景技術】
【０００２】
従来の空気調和機は、据付時の配管接続作業を容易にするために本体底面に開口部を設け、本体の背面下部をスペーサにより据付板から浮かせて配管等を行い、その後前記開口部を着脱自在なカバーで覆うようにしたものが提案されている（例えば、特許文献１参照）。
【先行技術文献】
【特許文献】
【０００３】
【特許文献１】特開平８−２８５３６５号公報
【発明の概要】
【発明が解決しようとする課題】
【０００４】
上記従来の空気調和機の場合、配管接続作業は容易になるが、配管の引き回し方向に対応するノックアウトの切欠き作業及び内外接続電線のターミナル板までの引き回し作業及びドレンホースの左右付け替え作業等を含めた工事全般の作業を容易化できるものではなかった。
【０００５】
本発明は、従来技術の有するこのような問題点に鑑みてなしたものであり、工事用カバー一部品の脱着だけで据付工事全般の作業性向上を図ることができる空気調和機を提供するものである。
【課題を解決するための手段】
【０００６】
本発明は上記課題を解決するため、室内機本体内部の下部に室内機と室外機とを接続する内外接続配管用の配管収納スペースを設けるとともに、当該配管収納スペースの右方または左方の室内機本体内端部に、換気装置の排気ダクト接続部、送風機のモータ部を備えた空気調和機であって、前記室内機本体下部の配管収納スペースは、当該配管収納スペースに位置する前記内外接続配管、室内機本体側の補助配管、排気ダクト接続部、モータ部を一体に覆う着脱自在な工事用カバーで覆うとともに、前記工事用カバーの底面の左右２箇所及び前記工事用カバーの側面の左右それぞれに前記接続配管あるいは排気ダクトが貫通するためのノックダウン式孔を設けた構成としてある。
【０００７】
これによって、室内機本体下部の配管収納スペースを利用して配管接続作業や内外接続電線の引き回し作業及び排気ダクトの引き出し、ドレンホースの左右付け替え作業等を行うことができ、しかもこれら一連の作業を工事用カバー一部品の脱着だけで行うことができ、工事全体の容易化、効率化を図ることができる。
【発明の効果】
【０００８】
本発明は、室内機据付工事の配管接続作業の容易化及び内外接続電線の引き回し作業、ドレンホースの左右付け替え作業、換気用排気ダクトの取付け作業等の工事を容易に行うことができ、工事全体の効率化が図れる。
【図面の簡単な説明】
【０００９】
【図１】本発明の実施の形態１による室内機本体の据付状態の斜視図
【図２】同空気調和機の室内機本体とカバー部の分解斜視図
【図３】同空気調和機の断面図
【図４】同空気調和機の図３のＡ部詳細図
【図５】同空気調和機の図４の分解図
【図６】同空気調和機の室内機本体からカバー部を取外した状態の下面図
【図７】同空気調和機のカバー部の外観斜視図
【図８】同空気調和機の室内機本体からカバー部を取外した状態の正面図
【図９】同空気調和機の室内機本体からカバー部を取外した状態の左側面図
【図１０】同空気調和機の室内機本体からカバー部を取外した状態の右側面図
【発明を実施するための形態】
【００１０】
第１の発明は、室内機本体内部の下部に室内機と室外機とを接続する内外接続配管用の配管収納スペースを設けるとともに、当該配管収納スペースの右方または左方の室内機本体内端部に、換気装置の排気ダクト接続部、送風機のモータ部を備えた空気調和機であって、前記室内機本体下部の配管収納スペースは、当該配管収納スペースに位置する前記内外接続配管、室内機本体側の補助配管、排気ダクト接続部、モータ部を一体に覆う着脱自在な工事用カバーで覆うとともに、前記工事用カバーの底面の左右２箇所及び前記工事用カバーの側面の左右それぞれに前記接続配管あるいは排気ダクトが貫通するためのノックダウン式孔を設けた構成としてある。
【００１１】
これによって、室内機本体下部の配管収納スペースを利用して配管接続作業や内外接続電線の引き回し作業及び排気ダクトの引き出し、ドレンホースの左右付け替え作業等を行うことができ、しかもこれら一連の作業を工事用カバー一部品の脱着だけで行うことができ、工事全体の容易化、効率化を図ることができる。
【００１２】
第２の発明は、第１の発明において、前記工事用カバーのノックダウン式孔はノックアウトによって脱除可能な蓋部を有する構成としたものであり、排気ダクトの引き出し、ドレンホースの左右付け替え作業等のための引き出し孔形成作業が蓋部のノックアウトによる脱除だけで行え、工事作業性が向上する。
【００１３】
第３の発明は、前記第１、第２の発明において、前記工事用カバーを前記室内機の下方向からの一動作で前記室内機本体に係合し、一体化する構成としたものであり、工事用カバーの脱着作業も容易に行うことができてさらに工事作業性が向上する。
【００１４】
第４の発明は、第３の発明において、前記室内機本体の両側部に本体下部固定部及び引掛け爪を設けるとともに、当該本体下部固定部及び引掛け爪に係合する切欠き部を工事用カバーの両側部に設けた構成としてあり、工事用カバーはその両側部を室内機本体の両側部に沿わせて移動させれば室内機本体に脱着することができ、さらに工事作業性を向上させることができる。
【００１５】
第５の発明は、第４の発明において、前記室内機本体の台枠に係合溝と係合穴を設け、当該台枠の係合溝と係合穴に係合する係合壁と係合爪を工事用カバーに設けた構成としてあり、これによって工事用カバーの確実な位置決め及び確実な取付けが可能となる。
【００１６】
第６の発明は、第５の発明において、前記室内機本体の台枠本体下部固定部に突起受け部を設け、当該突起受け部に係合する係合突起を工事用カバーに設けた構成としてあり、これによって前記室内機本体の台枠と前記工事用カバーの面を確実に合わせることができ、見栄の向上を図ることができる。
【００１７】
以下、本発明の実施の形態について、図面を参照しながら説明する。なお、この実施の
形態によって本発明が限定されるものではない。
【００１８】
（実施の形態１）
空気調和機は、通常冷媒配管で互いに接続された室外機と室内機とで構成されており、図３に示すように、室内機は、室内機本体（以下、単に本体と称す）１０前面側に前面パネル１１を有しており、空気調和機停止時は、前面パネル１１は本体１０に密着して前面吸込口を閉じているのに対し、空気調和機運転時は、前面パネル１１は本体１０から離反する方向に移動して前面吸込口を開放する。
【００１９】
本体１０の内部には、主流路の上流に設けられ空気中に含まれる塵埃を除去するためのプレフィルタ１２と、このプレフィルタ１２の下流側に設けられ吸い込まれた室内空気と熱交換するための熱交換器１３と、熱交換器１３で熱交換した空気を搬送するための送風ファン１４と、送風ファン１４から送風された空気を室内に吹き出す吹出口１５を開閉するとともに空気の吹き出し方向を上下に変更する上羽根１７および下羽根１６と、空気の吹き出し方向を左右に変更する左右羽根１８とを備えている。また、前面パネル１１の上部は、その両端部に設けられた複数のアーム（図示せず）を介して本体１０の上部に連結されており、複数のアームの一つに連結された駆動モータ（図示せず）を駆動制御することで、空気調和機運転時、前面パネル１１は空気調和機停止時の位置から前方に向かって移動する。上羽根１７、下羽根１６も同様に、その両端部に設けられた駆動メカ部品（図示せず）を介して駆動制御している。
【００２０】
さらに、前記本体１０の下部後方には図２、６に示すように配管収納スペース５ｈが設けられていて、着脱自在な工事用カバー１によって覆われている。
【００２１】
上記配管収納スペース５ｈには、室内機と室外機を接続するための内外接続配管８、本体１０側の補助配管６および電気配線やドレンホース（図示せず）、換気装置（図示せず）の排気ホース（図示せず）等が配備されており、以下、このように構成された室内機の本体１０の据付について構成とともに説明していく。
【００２２】
まず、本体１０の設置場所に据付板７をネジ固定し、そして図３に示すように、据付板７の上部に本体１０内の台枠５上部の本体引掛け部５ｇを引掛け、さらに据付板７の下部に台枠５下部の本体下部固定部５ｃに設けた引掛け爪５ｄを係合して本体１０を壁に設置し固定している。
【００２３】
ここで、この実施の形態においては左配管工事の場合を例にして工場作業を説明する。まず、図１、２、６に示すように本体１０の据付け状態において、工事用カバー１を下方向に移動して本体１０から分離し、本体１０の底面部に設けてある配管収納スペース５ｈを開放状態にして、本体１０と壁との間に本体を浮かすための別部材を咬ませて本体１０の下部を壁から浮かし配管収納スペース５ｈをさらに拡大した状態にする。
【００２４】
次に配管接続作業において、配管収納スペース５ｈに引き込んだ内外接続配管８と本体１０側の補助配管６をナット部６ａで連結し、補助配管６の断熱材６ｂを利用してナット部６ａを包み込み、テーピングで外れないようして、配管接続を完了する。
【００２５】
次にドレンホースの付け替え作業において、本体１０の背面右側のドレン口（図示せず）に取り付けられているドレンホース（図示せず）と背面左側のドレン口（図示せず）に取り付けられているドレン栓（図示せず）をそれぞれ付け替えて左ドレンホース付け替え作業を完了する。
【００２６】
次に接続電線の接続作業において、内外接続電線（図示せず）を本体１０内の右側上部
に配置されたターミナル板（図示せず）まで導くための部品として、本体１０内の下部にトンネル形状の電線ガイド部品（図示せず）が備えてあり、この電線ガイド部品の入口から内外接続電線を通してターミナル板手前の出口まで導き、ターミナル板への接続を行う。
【００２７】
次に換気用排気ホース接続作業において、本体１０内の左側に備えられた換気装置（図示せず）に設けた出口部と排気ホース（図示せず）の取付け口を接続する。
【００２８】
上記の配管工事の接続作業終了後、工事用カバー１に設けた配管左引き用の蓋部４ｂを脱除し工事用カバー１を元通り組付けて据付工事全体を完了する。
【００２９】
次に、本実施例の形態においての工事用カバー１と本体１０の台枠５下部との合わせ構成及び着脱方法の詳細について説明する。
【００３０】
図４、５、７に示すように、工事用カバー１は底面部２と右側面部３と左側面部４で大きく構成され、底面部２には台枠５との位置決め用の係合壁２ａと係合爪２ｂが設けられている。さらに台枠５の本体下部固定部５ｃに合わせるための切欠き部２ｃと本体下部固定部５ｃに係合する係合突起２ｄが設けられている。そして右側面部３及び左側面部４には、図８、９、１０に示すように台枠５の両側面に設けられた爪受部５ｆに係合する係合爪３ａ、４ａが設けられている。さらに底面部２の左右二箇所にノックアウト孔用の蓋部２ｅ及び右側面部３、左側面部４の左右それぞれにノックアウト孔用の蓋部３ｂ、４ｂが構成されている。
【００３１】
そして、組付け時は図２、４、５、７に示すように、工事用カバー１の係合壁２ａを台枠５の係合溝５ａに位置合わせし、同時に工事用カバー１の右側面部３と左側面部４を台枠５両側面部に位置合わせして、工事用カバー１を垂直上方に移動することにより、工事用カバー１の底面部２に設けた係合爪２ｂと右側面部３に設けた係合爪３ａと左側面部４に設けた係合爪４ａが、台枠５に設けた係合穴５ｂと台枠５両側面にそれぞれ設けた爪受部５ｆに係合される。さらに、工事用カバー１の底面部２に設けた切欠き部２ｃと台枠５下部の本体下部固定部５ｃの面が嵌め合わさり、前記工事用カバー１の切欠き部２ｃに設けた係合突起２ｄと前記台枠５下部の本体下部固定部５ｃに設けた突起受部５ｅが係合されて工事用カバー１が組付けられる。
【００３２】
また、取外し時は図２、７に示すように、工事用カバー１の右側面部３に設けた指掛け部３ｃと左側面部４に設けた指掛け部４ｃを指で本体１０内部方向に押しながら工事用カバー１を垂直下方に移動することにより、まず工事用カバー１の右側面部３に設けた係合爪３ａと左側面部４に設けた係合爪４ａが外れ、次に工事用カバー１の底面部２に設けた係合爪２ｂと係合突起２ｄが外れて工事用カバー１が分離されるものである。
【００３３】
このように本実施の形態における空気調和機は、本体１０下部の配管収納スペース５ｈを覆う着脱自在な工事用カバー１を取り外せば、配管接続作業や内外接続電線の引き回し作業及び排気ダクトの引き出し、ドレンホースの左右付け替え作業等の一連の作業を行うことができる。そして、上記工事用カバー１の着脱も当該工事用カバー１の両側部を本体１０の台枠５両側部に沿って上下に移動させるだけで行うことができる。
【産業上の利用可能性】
【００３４】
本発明に係る空気調和機は、室内機の据付作業を容易に行うことが可能になり工事の効率化を図ることができるので、一般家庭で使用される空気調和機を含む様々な空気調和機に広く起用することができる。
【符号の説明】
【００３５】
１  工事用カバー
２  底面部
２ａ  係合壁
２ｂ  係合爪
２ｃ  切欠き部
２ｄ  係合突起
２ｅ  蓋部
３  右側面部
３ａ  係合爪
３ｂ  蓋部
３ｃ  指掛け部
４  左側面部
４ａ係合爪
４ｂ  蓋部
４ｃ  指掛け部
５  台枠
５ａ  係合溝
５ｂ  係合穴
５ｃ  本体下部固定部
５ｄ  引掛け爪
５ｅ  突起受部
５ｆ  爪受部
５ｇ  本体引掛け部
５ｈ  配管収納スペース
６  補助配管
６ａ  ナット部
６ｂ  断熱材
７  据付板
８  内外接続配管
１０  室内機本体（本体）
１１  前面パネル
１２  プレフィルタ
１３  熱交換器
１４  送風ファン
１５  吹出口
１６  下羽根
１７  上羽根
１８  左右羽根
【図１】
2015010731.tif 000003
【図２】
2015010731.tif 000004
【図３】
2015010731.tif 000005
【図４】
2015010731.tif 000006
【図５】
2015010731.tif 000007
【図６】
2015010731.tif 000008
【図７】
2015010731.tif 000009
【図８】
2015010731.tif 000010
【図９】
2015010731.tif 000011
【図１０】
2015010731.tif 000012